(57)【要約】【課題】綴じ針除去用爪片に除去した綴じ針を保持する機能を備えさせたステープラーを提供する。【解決手段】打ち込まれた綴じ針１を除去するための綴じ針除去用爪片３７をベース１１における一端部２１に突設しているステープラーにおいて、該綴じ針除去用爪片３７の基部に該綴じ針除去用爪片３７により除去された綴じ針１、１・・・を収納する綴じ針収納ポケット５１を形成したことを特徴とするステープラー。綴じ針収納ポケット５１は、抜き取られた多数本の綴じ針１、１・・・を一時的に収納、保持するためのスペースである。【選択図】図１
0003126779.tif 000002
【実用新案登録請求の範囲】
【請求項１】
打ち込まれた綴じ針を除去するための綴じ針除去用爪片をベースにおける一端部に突設しているステープラーにおいて、
該綴じ針除去用爪片の基部に該綴じ針除去用爪片により除去された綴じ針を収納する綴じ針収納ポケットを形成したことを特徴とするステープラー。
【考案の詳細な説明】
【技術分野】
【０００１】
本考案は、ステープラーに関するものである。
【背景技術】
【０００２】
ステープラーは、書類、紙片等を相互に止着し又は書類、紙片等を壁面等に止着するための簡便な道具として従来より広く使用されている。
【０００３】
本出願においては、ステープラーにより止着される書類、紙片等を「被止着物」という。
【０００４】
ステープラーとしては、例えば特開２００４−１４２０７４号公報に示すように、ベースと、綴じ針を収納するフレームと、フレーム内の綴じ針を押える押え板と、綴じ針を打ち出す押刃を備えたハンドルとを一端部にて回動自在に軸着し、該ベースには綴じ針をクリンチするアンビルを備えさせ、該フレーム内にはガイド軸を前後方向に配設し、該ガイド軸にはスライダを摺動自在に支持させ、該スライダをバネにより常時前方に付勢してなるものが知られている。
【０００５】
上記従来のステープラーにおいては、打ち込まれた綴じ針を除去するための綴じ針除去用爪片をベースにおける前記一端部に突設している。
【特許文献１】特開２００４−１４２０７４号公報
【考案の開示】
【考案が解決しようとする課題】
【０００６】
上記従来のステープラーにおいては、ベースをフレーム、押え板及びハンドルに対して約１８０度回動させて開いた状態で、壁における例えばプラスターボード等の下地上に貼設された表面材等に掲示物等の被止着物を止着することができる。図２参照。
【０００７】
このような場合、壁面における綴じ針の打ち込み作業と綴じ針の除去作業とを頻繁に繰り返すことがしばしばある。
【０００８】
しかるに、上記従来のステープラーは、綴じ針を除去するための綴じ針除去用爪片をベースにおける前記一端部に突設しているものの、該綴じ針除去用爪片は除去した綴じ針を保持する機能を有しない。従って、壁面に打ち込まれている綴じ針を該綴じ針除去用爪片により除去すると、綴じ針が落下し、床面に散乱することになる。床面に散乱した綴じ針を拾う作業は面倒であり、綴じ針の拾い残しが生ずることも往々にしてある。
【０００９】
このような問題を解決するために、本考案は、綴じ針除去用爪片に除去した綴じ針を保持する機能を備えさせたステープラーを提供しようとしてなされたものである。
【課題を解決するための手段】
【００１０】
上記課題を解決するために、本考案は下記のステープラーを提供する。
【００１１】
打ち込まれた綴じ針を除去するための綴じ針除去用爪片をベースにおける一端部に突設しているステープラーにおいて、
該綴じ針除去用爪片の基部に該綴じ針除去用爪片により除去された綴じ針を収納する綴じ針収納ポケットを形成したことを特徴とするステープラー。
【考案の効果】
【００１２】
壁面に打ち込まれている綴じ針を綴じ針除去用爪片により抜き取ると、抜き取られた綴じ針は、順次、綴じ針収納ポケット内に収納され、保持される。即ち、抜き取られた綴じ針が落下し、床面に散乱することはない。その結果、床面に散乱した綴じ針を拾う作業は不要となり、綴じ針の拾い残しが生ずることも皆無となる。作業者は、壁面から抜き取られた綴じ針を綴じ針収納ポケットに収納したまま、壁面に対する綴じ針の打ち込みを連続して行なうことができる。また、作業者は、壁面に対する綴じ針の打ち込み作業後に、綴じ針収納ポケット内に収納された多数本の綴じ針をまとめて該綴じ針収納ポケットから取り出して処理することができる。従って、作業効率が向上する。
【考案を実施するための最良の形態】
【００１３】
まず、本考案のステープラーが上記従来のステープラーと共通する点について説明する。
【００１４】
本考案のステープラーは、上記従来のステープラーと同様に、ベース１１と、綴じ針１を収納するフレーム１３と、フレーム１３内の綴じ針１を押える押え板１５と、綴じ針１を打ち出す押刃１７を備えたハンドル１９とを一端部２１にて回動自在に軸２３を介して軸着し、該ベース１１には綴じ針１をクリンチするアンビル２５を備えさせ、該フレーム１３内にはガイド軸２７を前後方向に配設し、該ガイド軸２７にはスライダ２９を摺動自在に支持させ、該スライダ２９をバネ３１により常時前方に付勢してなるものである。
【００１５】
押刃１７は、ハンドル１９に固定されたバネ体１８の先端に形成され、該バネ体１８の他端２０は押え板１５を常時フレーム１３方向に付勢している。
【００１６】
ハンドル１９の押刃１７には中央孔４３が形成され、該中央孔４３には押え板１５の突端４５が遊嵌されている。
【００１７】
スライダ２９は、フレーム１３内の綴じ針１を常時前方に押す。
【００１８】
符号３３に示すものは、ハンドル１９をフレーム１３から離れる方向に回動させたときにバネ３１の力に抗してスライダ２９を後方に引く引き杆である。
【００１９】
符号３５に示すものはベース１１に一端を固定したバネである。
【００２０】
更に、打ち込まれた綴じ針１を除去するための綴じ針除去用爪片３７がベース１１における一端部２１に突設されている。
【００２１】
以下、本考案のステープラーが上記従来のステープラーと相違する点について説明する。
【００２２】
即ち、本考案においては、前記綴じ針除去用爪片３７の基部に該綴じ針除去用爪片３７により除去された綴じ針１、１・・・を収納する綴じ針収納ポケット５１を形成する。
【００２３】
綴じ針収納ポケット５１は、除去された綴じ針１、１・・・を収納し得るものであれば形状の如何を問わないが、一例として、綴じ針除去用爪片３７の基部に連設した床部５３と、該床部５３の奥側端に立設した奥壁部５５と、該奥壁部５５に連設した天井部５７と、該床部５３と奥壁部５５と天井部５７とに連設した側壁部５９、５９とを備え、該綴じ針除去用爪片３７と側壁部５９、５９との間に綴じ針１の脚部１ｂを挿通させるための隙間６１を設け、奥壁部５５と相対向する側に開口部６３を設けてなるものとする。
【００２４】
綴じ針収納ポケット５１は、抜き取られた多数本の綴じ針１、１・・・を一時的に収納、保持するためのスペースである。
【００２５】
綴じ針収納ポケット５１内に収納された綴じ針１、１・・・は、適宜開口部６３より取り出される。
【００２６】
符号１ａに示すものは、綴じ針１の中央部である。
【００２７】
図２は、ベース１１をフレーム１３、押え板１５及びハンドル１９に対して約１８０度回動させて開いた状態で、壁における例えばプラスターボード等の下地５上に貼設されたクロス等の表面材７に掲示物等の被止着物３を止着している状態を示す。
【図面の簡単な説明】
【００２８】
【図１】本考案によるステープラーの一例を示す断面図である。
【図２】同上ステープラーの使用状態を示す断面図である。
【図３】綴じ針収納ポケットの使用状態を示す断面図である。
【図４】同上綴じ針収納ポケットを示す正面図である。
【図５】同上綴じ針収納ポケットを示す別の断面図である。
【図６】同上綴じ針収納ポケットを示す平面図である。
【符号の説明】
【００２９】
１  綴じ針
１ａ  中央部
１ｂ  脚部
３  被止着物
５  下地
７  表面材
１１  ベース
１３  フレーム
１５  押え板
１７  押刃
１８  バネ体
１９  ハンドル
２０  他端
２１  一端部
２３  軸
２５  アンビル
２７  ガイド軸
２９  スライダ
３１  バネ
３３  引き杆
３５  バネ
３７  綴じ針除去用爪片
４３  中央孔
４５  突端
５１  綴じ針収納ポケット
５３  床部
５５  奥壁部
５７  天井部
５９  側壁部
６１  隙間
６３  開口部
【図１】
0003126779.tif 000003
【図２】
0003126779.tif 000004
【図３】
0003126779.tif 000005
【図４】
0003126779.tif 000006
【図５】
0003126779.tif 000007
【図６】
0003126779.tif 000008